(57)【要約】【課題】  チャンバ内の高圧下で、オゾンや高濃度酸素のような、純然たる空気以外の人体に各種の影響を与える気体を注入することにより、チャンバ内に人が入ることで、例えば、各種の病気の予防や治療が可能となることが期待される。【解決手段】  居住空間を形成するチャンバと、チャンバ内の気圧を上げるための加圧手段と、チャンバ内に注入するオゾンを生成するオゾン生成手段とを備え、また、チャンバ内に注入する高濃度酸素を生成する高濃度酸素生成手段を備えたり、オゾンと高濃度酸素のいずれかをチャンバ内に注入するかを切り換える切替手段を備えたりすることを特徴とする。【選択図】図１
2018094013.tif 000002
【特許請求の範囲】
【請求項１】
室内の気圧を、常圧より高圧に維持可能な居住空間を有する高圧ルームにおいて、
該居住空間を形成するチャンバと、
該チャンバ内の気圧を上げるための加圧手段と、
該チャンバ内に注入するオゾンを生成するオゾン生成手段とを備えることを特徴とする高圧ルーム。
【請求項２】
該チャンバ内に注入する高濃度酸素を生成する高濃度酸素生成手段を備えることを特徴とする請求項１記載の高圧ルーム。
【請求項３】
前記オゾンと前記高濃度酸素のいずれかを前記チャンバ内に注入するかを切り換える切替手段を備えることを特徴とする請求項２記載の高圧ルーム。
【請求項４】
前記チャンバ内のオゾンの濃度が、０．１ｐｐｍ以下であることを特徴とする請求項１〜請求項３のいずれかに記載の高圧ルーム。
【発明の詳細な説明】
【技術分野】
【０００１】
本発明は、室内の気圧を常圧より高圧に維持可能な居住空間を有する高圧ルームに関する。
【背景技術】
【０００２】
従来より、室内の気圧を常圧より高圧に設定して高圧酸素治療が行われている。このための高圧ルームであるチャンバが、各種提案されている。例えば、特許文献１の変圧チャンバは、患者を取り囲むのに充分な容積を有する略気密のエンクロージャと、エンクロージャへのアクセスを提供するために適合するシール自在開口部と、シール自在開口部を密封するために適合する閉鎖メカニズムと、エンクロージャの流入口に流動的に連結される可逆圧縮機と、エンクロージャの流出口に流動的に連結される流出口流量調整装置とにより構成されている。
【０００３】
従来の特許文献１の変圧チャンバは、エンクロージャの外側に設けられた１つの可逆圧縮機により、エンクロージャ内の圧力を可変させている。また、エンクロージャへの空気の取り入れは、エンクロージャの流出口に流動的に連結される弁構造を有する流出口流量調整装置によって行っている。
【先行技術文献】
【特許文献】
【０００４】
【特許文献１】特表２０１０−５１７７０６号公報
【発明の概要】
【発明が解決しようとする課題】
【０００５】
しかしながら、従来の変圧チャンバでは、チャンバ内で空気を圧縮しているのみで、空気以外の人体に各種の影響を与える気体を注入することは、行われてなかった。
【０００６】
本発明は、このような事情に鑑みてなされたもので、高圧下で、オゾンや高濃度酸素により、例えば、各種の病気の予防や治療が可能となることが期待される高圧ルームを提供することにある。
【課題を解決するための手段】
【０００７】
請求項１記載の高圧ルームは、居住空間を形成するチャンバと、チャンバ内の気圧を上げるための加圧手段と、チャンバ内に注入するオゾンを生成するオゾン生成手段とを備えることを特徴とする。
【０００８】
請求項２記載の高圧ルームは、チャンバ内に注入する高濃度酸素を生成する高濃度酸素生成手段を備えることを特徴とする。
【０００９】
請求項３記載の高圧ルームは、オゾンと高濃度酸素のいずれかをチャンバ内に注入するかを切り換える切替手段を備えることを特徴とする。
【００１０】
請求項４記載の高圧ルームは、チャンバ内の濃度が、０．１ｐｐｍ以下であることを特徴とする。
【発明の効果】
【００１１】
本願の発明によれば、チャンバ内の高圧下で、オゾンや高濃度酸素のような、純然たる空気以外の人体に各種の影響を与える気体を注入することにより、チャンバ内に人が入ることで、例えば、各種の病気の予防や治療が可能となることが期待される。
【図面の簡単な説明】
【００１２】
【図１】本発明に係る高圧ルームの構成の一例を示す説明図である。
【発明を実施するための形態】
【００１３】
以下、本発明の形態について図面を参照しながら具体的に説明する。図１は、本発明に係る高圧ルームの構成の一例を示す説明図である。
【００１４】
図における高圧ルーム１は、居住空間であり室内であるチャンバ１０内の気圧を常圧より高圧に維持可能なものである。居住空間を形成するチャンバ１０と、チャンバ１０内の気圧を上げるための例えば加圧用コンプレッサである加圧手段２０と、チャンバ１０内に注入するオゾンを生成するオゾン生成手段３０と、チャンバ１０内に注入する高濃度酸素を生成する高濃度酸素生成手段４０とを備えている。尚、高圧としては、１．５気圧程度までである。
【００１５】
チャンバ１０は、人の身体が完全に収まる大きさで、単に横たわって入ることができる大きさから、部屋状の大きさだったり座ったりすることができる大きさや、複数人が入ることができる大きさまで、様々である。そして、チャンバ１０は、図示しない出入口があり、チャンバ１０を閉じた状態では、チャンバ１０内は密閉空間になるような構造である。
【００１６】
加圧手段２０は、チャンバ１０の外側に配置され、チャンバ１０内と連通している。加圧手段２０は、加圧用コンプレッサの他、ポンプ等の他の手段であってもかまわない。
【００１７】
尚、図示してはいないが、チャンバ１０内の気圧の調整のために、各種の弁構造を設けるようにしてもよい。
【００１８】
次に、本実施の形態における高圧ルーム１の動作を説明する。高圧ルーム１のチャンバ１０内を、加圧手段２０で気圧を高めていくが、オゾン生成手段３０で生成された気体で所定の濃度のオゾンを、加圧手段２０に送り、チャンバ１０内の気圧を高めていくと共に、チャンバ１０内にオゾンを注入していく。尚、チャンバ１０内のオゾンの濃度が、０．１ｐｐｍ以下である。このオゾンの濃度は、チャンバ１０内の気圧が高まっても、０．１ｐｐｍ以下に保たれるようにする。
【００１９】
また、高圧ルーム１のチャンバ１０内を、加圧手段２０で気圧を高めていくが、高濃度酸素生成手段４０で生成された気体で所定の濃度の酸素を、加圧手段２０に送り、チャンバ１０内の気圧を高めていくと共に、チャンバ１０内に高濃度の酸素を注入していくことも可能である。このとき、加圧手段２０又は他の装置を、オゾンと高濃度酸素のいずれかをチャンバ１０内に注入するかを切り換える切替手段として機能させることも可能である。
【００２０】
以上のような構造の本実施の形態に係る高圧ルーム１によれば、チャンバ１０内の高圧下で、オゾンや高濃度酸素のような、純然たる空気以外の人体に各種の影響を与える気体を注入することになり、チャンバ１０内に人が入ることで、例えば、各種の病気の予防や治療が可能となることが期待される。
【産業上の利用可能性】
【００２１】
以上のように、本発明によれば、高圧下で、オゾンや高濃度酸素により、例えば、各種の病気の予防や治療が可能となることが期待される高圧ルームを提供することができる。
【符号の説明】
【００２２】
１・・・・・高圧ルーム
１０・・・・チャンバ
２０・・・・加圧手段
３０・・・・オゾン生成手段
４０・・・・高濃度酸素生成手段
【図１】
2018094013.tif 000003